(57)【要約】      （修正有）【課題】振動吸収効果を有するラケットフレームを提供する。【解決手段】ラケットフレームは本体および弾性部材４０を備える。本体は環状フレーム、二つのスロート２４およびグリップ３８を有する。二つのスロート２４は環状フレームと一体になり、それぞれ環状フレームから下へ伸びて形成され、一端が結合してシャフト２８になる。グリップ３８はシャフト２８と一体になり、シャフト２８から下へ伸びて形成される。シャフト２８は凹状溝３０を有する。凹状溝３０はシャフト２８の正面および背面を貫通し、一端が環状フレームに向かう開放端３２であり、他端がグリップに向かう密閉端３４である。弾性部材４０は凹状溝３０の開放端３２から凹状溝３０に差し込まれて凹状溝３０の間に嵌まり込んで密着する。ラケットフレームはボールを打つ際に生じる振動を弾性部材４０で吸収し、極めて良好な振動吸収効果を発揮する。【選択図】図２
0003223222.tif 000002
【実用新案登録請求の範囲】
【請求項１】
本体および弾性部材を備え、
前記本体は環状フレーム、二つのスロートおよびグリップを有し、二つの前記スロートはそれぞれ一端が前記環状フレームと連結されて一体になり、別の一端が結合してシャフトになり、前記シャフトは前記グリップの一端と連結されて一体になり、凹状溝を有し、前記凹状溝は前記シャフトの二つの相対する側面を貫通し、一端が前記環状フレームに向かう開放端であり、他端が前記グリップに向かう密閉端であり、
前記弾性部材は前記凹状溝の前記開放端から前記凹状溝に差し込まれて密着することを特徴とするラケットフレーム。
【請求項２】
前記シャフトは二つの相対する前記側面に嵌合溝を有し、それぞれの前記嵌合溝は前記凹状溝の前記密閉端に繋がり、
前記弾性部材は前記グリップに向かう一端に二つの相対する嵌合部を有し、それぞれの前記嵌合部は前記嵌合溝に嵌まり込むことを特徴とする請求項１に記載のラケットフレーム。
【請求項３】
前記凹状溝は縦断面が矩形であり、前記嵌合溝は矩形を呈し、長さ方向が前記凹状溝の長さ方向に平行であり、幅が前記凹状溝の前記縦断面の幅より大きいことを特徴とする請求項２に記載のラケットフレーム。
【請求項４】
前記凹状溝の長さ方向は前記グリップの長さ方向に平行であることを特徴とする請求項３に記載のラケットフレーム。
【請求項５】
前記弾性部材の横断面の幅は中間部位から両端へ漸減することを特徴とする請求項１から請求項４のいずれか一つに記載のラケットフレーム。
【請求項６】
それぞれの前記スロートは内周面を有し、二つの前記スロートの前記内周面は相対し、
前記弾性部材は前記環状フレームに向かう一端に凹状円弧面を有し、前記凹状円弧面は二つの前記スロートの前記内周面の間に連結されることを特徴とする請求項５に記載のラケットフレーム。
【請求項７】
それぞれの前記スロートは内周面を有し、二つの前記スロートの前記内周面は相対し、
前記弾性部材は前記環状フレームに向かう一端に凹状円弧面を有し、前記凹状円弧面は二つの前記スロートの前記内周面の間に連結されることを特徴とする請求項１から請求項４のいずれか一つに記載のラケットフレーム。
【考案の詳細な説明】
【技術分野】
【０００１】
本考案はテニスまたはスカッシュなどの球技用ラケットに関し、詳しくは振動吸収効果を有するラケットフレームに関するものである。
【背景技術】
【０００２】
ラケットはボールを打った瞬間に生じた振動が使用者の手首に伝わるため、スポーツ傷害を引き起こし、ボールを打つ際の打ち心地に影響を与えることがよくある。それに対し、振動によって手首が痛むことを緩和し、ボールを打つ際の打ち心地を向上させるために、いくつかの解決方法が考案された。例えば、一つはガットとフレームのヘッドとの間に振動吸収部材を配置することである。一つはグリップの内部に振動吸収部材を配置することである。しかしながら、考案された解決方法は振動吸収効果が限られるため、より一層良好な振動吸収効果を得ることは業界にとって長期目標になる。
【考案の概要】
【考案が解決しようとする課題】
【０００３】
本考案は構造が単純で組み立て作業が簡単であるだけでなく良好な振動吸収効果を有するラケットフレームを提供することを主な目的とする。
【課題を解決するための手段】
【０００４】
上述した課題を解決するため、ラケットフレームは本体および弾性部材を備える。本体は環状フレーム、二つのスロートおよびグリップを有する。二つのスロートはそれぞれ一端が環状フレームと連結されて一体になり、別の一端が結合してシャフトになる。シャフトはグリップの一端と連結されて一体になり、凹状溝を有する。凹状溝はシャフトの正面および背面を貫通し、一端が環状フレームに向かう開放端であり、他端がグリップに向かう密閉端である。弾性部材は凹状溝の開放端から凹状溝に差し込まれて凹状溝の間に嵌まり込んで密着する。
【０００５】
上述したとおり、本考案によるラケットフレームは弾性部材によってボールを打つ際に生じる振動を吸収するため、極めて良好な振動吸収効果を発揮することができる。
【０００６】
比較的好ましい場合、シャフトは二つの相対する側面に嵌合溝を有する。嵌合溝は凹状溝に繋がり、グリップの一端に隣接する。弾性部材はグリップに向かう一端に二つの相対する嵌合部を有する。弾性部材の二つの嵌合部はシャフトの二つの嵌合溝に嵌まり込んで弾性部材の位置決め効果を向上させる。
【０００７】
比較的好ましい場合、弾性部材の横断面の幅は中間部位から両端へ漸減するため、凹状溝に弾性部材を嵌め込んだ後の構造上の安定性を高めることができる。
【０００８】
比較的好ましい場合、それぞれのスロートは内周面を有する。二つのスロートの内周面は相対する。弾性部材は環状フレームに向かう一端に凹状円弧面を有する。凹状円弧面は二つのスロートの内周面の間に連結されて全体の構造および外観を良好に維持する。
【０００９】
本考案によるラケットフレームの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１０】
【図１】本考案の一実施形態によるラケットフレームを示す斜視図である。
【図２】本考案の一実施形態によるラケットフレームにおいて本体と弾性部材が分離した状態を示す斜視図の一部分である。
【図３】本考案の一実施形態によるラケットフレームにおいて本体と弾性部材が分離した状態を示す平面図の一部分である。
【図４】本考案の一実施形態によるラケットフレームにおいて本体と弾性部材が結合した状態を示す平面図の一部分である。
【図５】図４中の５−５線に沿った断面図である。
【考案を実施するための形態】
【００１１】
以下、本考案によるラケットフレームを図面に基づいて説明する。明細書において方向性用語は図面に示した方向に基づいて表現される。図面中の同じ符号は同じ部品または類似した部品の構造特徴を示す。
【００１２】
（一実施形態）
図１から図３に示すように、本考案の一実施形態によるラケットフレーム１０は本体２０および弾性部材４０を備える。
【００１３】
本体２０は繊維強化樹脂から製作される。繊維は炭素繊維、ガラス繊維、ホウ素繊維または芳香族ポリアミド系樹脂（商標名Kevlar）であるが、これに限らない。樹脂は熱硬化性樹脂または熱可塑性樹脂である。本体２０は環状フレーム２２、二つのスロート２４およびグリップ３８を有する。二つのスロート２４はそれぞれ前端が環状フレーム２２と連結されて一体になり、後端が結合してシャフト２８になる。シャフト２８はグリップ３８の前端と連結されて一体になり、正面および背面を貫通する凹状溝３０を有する。凹状溝３０は縦断面および横断面が矩形であり、長さ方向がグリップ３８の長さ方向に平行である。凹状溝３０は一端が環状フレーム２２に向かう開放端３２であり、他端がグリップ３８に向かう密閉端３４である。シャフト２８は正面および背面に矩形の嵌合溝３６を有する。嵌合溝３６は凹状溝３０の密閉端３４に繋がり、長さ方向が凹状溝３０の長さ方向に平行である。嵌合溝３６の幅Ｗ２は凹状溝３０の縦断面の幅Ｗ１より大きい。
【００１４】
弾性部材４０は弾性材質、例えば熱可塑性ゴム（Thermoplastic Rubber，ＴＰＲ）、ポリウレタン（Polyisocyanate，ＰＵ）またはポリスチレン（Polystyrene，ＰＳ）などから製作される。弾性部材４０および凹状溝３０はサイズおよび形が相互に対応する。つまり、弾性部材４０は縦断面および横断面が矩形である。弾性部材４０は後端に二つの幅が比較的大きい矩形の嵌合部４２を有する。弾性部材４０は凹状溝３０の開放端３２から凹状溝３０に差し込まれて凹状溝３０の間に嵌まり込んで密着する。このとき弾性部材４０の二つの嵌合部４２はシャフト２８の二つの嵌合溝３６に嵌まり込む。図５に示すように、弾性部材４０の横断面の幅Ｗ３は中間部位から両端へ漸減するため、凹状溝３０に弾性部材４０を嵌め込んだ後の構造上の安定性を高めることができる。図４に示すように、弾性部材４０は環状フレーム２２に向かう一端に凹状円弧面４４を有する。凹状円弧面４４は二つのスロート２４の内周面２６の間に連結されるため、弾性部材４０と本体２０とが結合した後の全体の構造および外観を良好に維持することができる。
【００１５】
上述をまとめてみると、本考案によるラケットフレーム１０は弾性部材４０によってボールを打つ際に生じる振動を吸収するため、極めて良好な振動吸収効果を発揮することができる。弾性部材４０はニーズに応じて色を変更できるように設計されるため、視覚効果および識別効果を生じることができる。
【符号の説明】
【００１６】
１０：ラケットフレーム、  
２０：本体、  
２２：環状フレーム、  
２４：スロート、  
２６：内周面、  
２８：シャフト、  
３０：凹状溝、  
３２：開放端、  
３４：密閉端、  
３６：嵌合溝、  
３８：グリップ、  
４０：弾性部材、  
４２：嵌合部、  
４４：凹状円弧面、  
Ｗ１：縦断面の幅、  
Ｗ２：幅、  
Ｗ３：横断面の幅
【図１】
0003223222.tif 000003
【図２】
0003223222.tif 000004
【図３】
0003223222.tif 000005
【図４】
0003223222.tif 000006
【図５】
0003223222.tif 000007